(57)【要約】      （修正有）【課題】電気柵の裸電線を取付けることに適さず且つ獣類が登ることができるようなもの、を登ってきた獣類を感電させる感電装置を提供する。【解決手段】出力端子とアース端子とを備える電源ユニット１０と、電源ユニット１０の出力端子およびアース端子にそれぞれ一端が接続される二つのコード２０と、帯状のシートからなる絶縁体と、絶縁体の表面に長手方向に沿って設けられるとともに二つのコード２０のそれぞれの他端にそれぞれ接続される二つの導体と、を備え、取付対象物５に取付けられる、感電シート３０と、を具備し、感電シート３０における二つの導体に接触した獣類を感電させる感電装置１とする。【選択図】図１
0003162750.tif 000002
【実用新案登録請求の範囲】
【請求項１】
帯状のシートからなる絶縁体と、
前記絶縁体の表面に長手方向に沿って設けられるとともに、電源ユニットの出力端子およびアース端子にそれぞれ一端が接続される二つのコードにおけるそれぞれの他端にそれぞれ接続される二つの導体と、を備え、
取付対象物に取付けられ、前記二つの導体に接触した獣類を感電させる、感電シート。
【請求項２】
所望の長さに切断して前記取付対象物に取付けられる、請求項１に記載の感電シート。
【請求項３】
前記二つの導体は、それぞれ箔状に構成される、請求項１または請求項２に記載の感電シート。
【請求項４】
出力端子とアース端子とを備える電源ユニットと、
前記電源ユニットの出力端子およびアース端子にそれぞれ一端が接続される二つのコードと、
帯状のシートからなる絶縁体と、前記絶縁体の表面に長手方向に沿って設けられるとともに前記二つのコードのそれぞれの他端にそれぞれ接続される二つの導体と、を備え、取付対象物に取付けられる、感電シートと、
を具備し、前記感電シートにおける二つの導体に接触した獣類を感電させる、感電装置。
【請求項５】
前記二つのコードのそれぞれの他端と、前記感電シートにおける二つの導体のそれぞれの一端と、を接続する、接続具を備える、請求項４に記載の感電装置。
【請求項６】
前記感電シートは、所望の長さに切断して前記取付対象物に取付けられる、請求項４または請求項５に記載の感電装置。
【請求項７】
前記感電シートの二つの導体は、それぞれ箔状に構成される、請求項４から請求項６のいずれか１項に記載の感電装置。
【考案の詳細な説明】
【技術分野】
【０００１】
本考案は、感電シートおよび感電装置の技術に関する。
【背景技術】
【０００２】
従来、農地やレジャー施設等の所定領域への獣類の侵入を防ぐための技術として、電気柵が知られている。
このような電気柵は、前記所定領域の周囲に立設された複数のポールと、複数のポールごとに設けられた複数の碍子と、複数の碍子間に張り渡される裸電線等と、裸電線が接続されてこれに電圧を印加する電源ユニットと、を備え、裸電線に接触した獣類に感電による電気ショックを与えるものである（特許文献１または特許文献２参照）。
【先行技術文献】
【特許文献】
【０００３】
【特許文献１】特開２００８−１２５４４６号公報
【特許文献２】特開２０１０−１１９３１０号公報
【考案の概要】
【考案が解決しようとする課題】
【０００４】
しかしながら、このような電気柵では、樹木、家屋、電気柵のポール等に、その裸電線を直接取付けると、これらに常に通電することとなるため、樹木、家屋、電気柵のポール等に裸電線を取付けることに適さない。また、獣類の中には、樹木、家屋、電気柵のポール等を登ることができるもの（例えば、サル、アライグマ、フェレット、ハクビシン、ヌートリア等）がいる。
このため、獣類の中には、前記所定領域の周囲にある樹木、家屋、電気柵のポール等を登って当該所定内に侵入するものがいるが、当該電気柵では、このような獣類を感電させて、前記所定領域内への侵入を防止することができない。
【０００５】
即ち、本考案は、以上の如き状況に鑑みてなされたものであり、電気柵の裸電線を取付けることに適さず且つ獣類が登ることができるようなもの、を登ってきた獣類を感電させることができる感電シートまたは感電装置を提供すること課題とする。
【課題を解決するための手段】
【０００６】
本考案の解決しようとする課題は以上の如くであり、次にこの課題を解決するための手段を説明する。
【０００７】
即ち、請求項１においては、帯状のシートからなる絶縁体と、前記絶縁体の表面に長手方向に沿って所定の間隔をあけて設けられるとともに、電源ユニットの出力端子およびアース端子にそれぞれ一端が接続される二つのコードにおけるそれぞれの他端にそれぞれ接続される二つの導体と、を備え、取付対象物に取付けられ、前記二つの導体に接触した獣類を感電させる、感電シートとするものである。
【０００８】
請求項２においては、所望の長さに切断して前記取付対象物に取付けられるものである。
【０００９】
請求項３においては、前記二つの導体は、それぞれ箔状に構成されるものである。
【００１０】
請求項４においては、出力端子とアース端子とを備える電源ユニットと、前記電源ユニットの出力端子およびアース端子にそれぞれ一端が接続される二つのコードと、帯状のシートからなる絶縁体と、前記絶縁体の表面に長手方向に沿って所定の間隔をあけて設けられるとともに前記二つのコードのそれぞれの他端にそれぞれ接続される二つの導体と、を備え、取付対象物に取付けられる、感電シートと、を具備し、前記感電シートにおける二つの導体に接触した獣類を感電させる感電装置とするものである。
【００１１】
請求項５においては、前記二つのコードのそれぞれの他端と、前記感電シートにおける二つの導体のそれぞれの一端と、を接続する、接続具を備えるものである。
【００１２】
請求項６においては、前記感電シートは、所望の長さに切断して前記取付対象物に取付けられるものである。
【００１３】
請求項７においては、前記感電シートの二つの導体は、それぞれ箔状に構成されるものである。
【考案の効果】
【００１４】
本考案の効果として、以下に示すような効果を奏する。
【００１５】
請求項１においては、取付対象物に感電シートを取付けて、取付対象物を登ってきた獣類を感電させることができる。
【００１６】
請求項２においては、予め長さを決定した上で感電シートを作製することなく、取付現場に行ってから取付対象物に合わせて感電シートの長さを決定することができる。
【００１７】
請求項３においては、絶縁体の柔軟性を損なうことなく、獣類をより確実に二つの導体に接触させることができる。
【００１８】
請求項４においては、取付対象物に感電シートを取付けて、取付対象物を登ってきた獣類を感電させることができる。
【００１９】
請求項５においては、二つのコードのそれぞれの他端と、感電シートにおける二つの導体のそれぞれの一端と、のそれぞれの接続作業を容易に行うことができる。
【００２０】
請求項６においては、予め長さを決定した上で感電シートを作製することなく、取付現場に行ってから取付対象物に合わせて感電シートの長さを決定することができる。
【００２１】
請求項７においては、絶縁体の柔軟性を損なうことなく、獣類をより確実に二つの導体に接触させることができる。
【図面の簡単な説明】
【００２２】
【図１】本考案の感電装置の全体的な構成を示した模式図。
【図２】本考案の感電装置における電源ユニットを示した正面図。
【図３】（ａ）は本考案の感電装置における感電シートを示した平面図、（ｂ）は同じく底面図、（ｃ）は同じく側面図。
【図４】本考案の感電装置における感電シートを取付対象物に取付けた状態を示した正面図。
【図５】（ａ）は本考案の感電装置における感電シートとコードとを接続した状態を示した平面図、（ｂ）は本考案の感電装置における感電シートに獣類が接触した状態を示した正面模式図。
【図６】（ａ）は本考案の感電装置における感電シートとコードと接続具とを示した平面図、（ｂ）は本考案の感電装置における感電シートを接続具に挿入した状態を示した平面図。
【図７】（ａ）は本考案の感電装置における感電シートを取付対象物に取付けた状態を示した正面図、（ｂ）は本考案の感電装置における感電シートを取付対象物に取付けた状態を示した正面図。
【考案を実施するための形態】
【００２３】
次に、本考案の実施形態を、図１から図７を用いて説明する。
感電装置１は、獣類に、感電による電気ショックを与える装置であり、図１に示す如く、電源ユニット１０と、二つのコード２０と、感電シート３０と、を具備する。
【００２４】
感電装置１の電源ユニット１０は、２つのコード２０を介して感電シート３０に所定の電圧（例えば、１万ボルト）を印加するための電源となるものであり、出力端子１２とアース端子１３とを備える。
図２に示すように、感電装置１の電源ユニット１０における筐体１１の前面には、出力端子１２、アース端子１３、操作スイッチ等が配置される。電源ユニット１０の筐体１１内には、所定の電圧を作り出すための制御回路や電源回路等が収納される。感電装置１の電源ユニット１０における出力端子１２およびアース端子１３は、筐体１１内において、制御回路や電源回路と接続される。
【００２５】
感電装置１の二つのコード２０は、導体を絶縁体で被覆した絶縁電線で構成され、図２に示すように、それぞれ電源ユニット１０に接続される。
以下において、感電装置１の二つのコード２０のうち一方のコードを出力側コード２０ａと称し、二つのコード２０の打ち他方のコードをアース側コード２０ｂと称する。
感電装置１の出力側コード２０ａの一端は、電源ユニット１０の出力端子１２に接続される。感電装置１のアース側コード２０ｂの一端は、電源ユニット１０のアース端子１３に接続される。
【００２６】
感電装置１の感電シート３０は、取付対象物５に取付けられ、これに接触した獣類に、感電による電気ショックを与えるものである。
ここで、取付対象物５とは、電気柵の裸電線を取付けることに適さず且つ獣類が登ることができるようなものを示す。取付対象物５には、例えば、樹木、家屋、電気柵を張巡らせるために用いられるポール、等がある。
【００２７】
感電装置１の感電シート３０は、図１または図３に示すように、絶縁体３１と、導体３２と、を備える。
感電装置１の感電シート３０における絶縁体３１は、絶縁性の樹脂素材で構成され、帯状のシートからなる。
感電装置１の感電シート３０における導体３２は、二つの導体３２からなり、それぞれ箔状のアルミ素材で構成される。
感電装置１の感電シート３０における二つの導体３２は、絶縁体３１の表面に長手方向に沿って設けられる。感電装置１の感電シート３０における二つの導体３２は、所定の間隔をあけて、互いに並行するように配置される。感電装置１の感電シート３０における二つの導体３２は、所定の間隔をあけて、互いに平行となるように配置される。なお以下において、感電装置１の感電シート３０における二つの導体３２のうち一方の導体を出力側導体３２ａと称し、他方の導体をアース側導体３２ｂと称する。
【００２８】
このように構成された感電装置１の感電シート３０は、例えば図４に示すように、取付対象物５である樹木の幹５１に、巻付けるようにして取付けられる。この際、感電装置１の感電シート３０は、その裏面を樹木の幹５１に接触させるようにして、樹木の幹５１に取付けられる。樹木の幹５１に取付けられた感電シート３０では、その出力側導体３２ａおよびアース側導体３２ｂが外側を向くように配置される。
なお、感電装置１の感電シート３０は、その裏面を取付対象物５に貼付けるようにして取付けてもよい。
【００２９】
感電装置１の感電シート３０における出力側導体３２ａは、その出力側コード２０ａの他端に接続される。感電装置１の感電シート３０におけるアース側導体３２ｂは、そのアース側コード２０ｂの他端に接続される。感電装置１の感電シート３０における出力側導体３２ａおよびアース側導体３２ｂと、出力側コード２０ａおよびアース側コード２０ｂと、のそれぞれの接続は、例えば、半田付けによって行われる（図５（ａ）参照）。
【００３０】
感電装置１は、このように出力側コード２０ａおよびアース側コード２０ｂのそれぞれに感電シート３０の出力側導体３２ａおよびアース側導体３２ｂが接続されることにより、出力側コード２０ａおよびアース側コード２０ｂを介して感電シート３０の出力側導体３２ａおよびアース側導体３２ｂに、電源ユニット１０から電圧が印加されるように構成される。
そして、感電装置１では、取付対象物５に取付けられて、電圧が印加された感電シート３０における出力側導体３２ａおよびアース側導体３２ｂに接触した獣類である獣６は、感電による電気ショックを受けることとなる（図５（ｂ）参照）。なお、感電装置１は、その感電シート３０における出力側導体３２ａおよびアース側導体３２ｂに接触した獣類に、当該獣類が感電による電気ショックを受けてその場を立ち去る程度の電流（例えば、１μＡ程度の電流）が流れるように構成される。
【００３１】
以上のように、感電装置１では、その感電シート３０を取付対象物５に取付けて、取付対象物５を登ってきた獣類を感電させることができる。
したがって、感電装置１によれば、獣類が、取付対象物５を登って獣類が所定領域（農地やレジャー施設等）内へ侵入することを防止することができる。
また、感電装置１では、感電装置１の電源ユニット１０は、電気柵用の電源ユニットと同様の仕様で構成されるため、当該従来における電気柵用の電源ユニットを流用してもよい。
また、感電装置１では、その感電シート３０における出力側導体３２ａおよびアース側導体３２ｂが箔状に構成されるため、絶縁体３１の柔軟性を損なうことなく、出力側導体３２ａとアース側導体３２ｂとの表面の面積を大きくして獣類をより確実にこれに接触させることができる。
【００３２】
感電装置１では、取付対象物５に取付ける際に所望の長さに感電シート３０を切断して、当該切断した感電シート３０を取付対象物５に取付けてもよい。
感電装置１では、このように所望の長さに切断した感電シート３０を取付対象物５に取付けるように構成されるため、予め長さを決定した上で感電シート３０を作製することなく、取付現場に行ってから取付対象物５に合わせて感電シート３０の長さを決定することができる。
【００３３】
感電装置１は、接続具４０を備える構成としてもよい。
感電装置１の接続具４０は、出力側コード２０ａの他端と感電シート３０における出力側導線の一端と、および、アース側コード２０ｂの他端と感電シート３０におけるアース側導線の一端と、をそれぞれ接続するものである。
【００３４】
感電装置１の接続具４０は、例えば図６（ａ）に示すように、出力側コード２０ａの他端およびアース側コード２０ｂの他端をそのケース４１に固定するように構成される。また、感電装置１の接続具４０は、図６（ｂ）に示すように、その感電シート３０を、そのケース４１の開口部４２からケース４１内に挿入可能に構成される。
そして、感電装置１の接続具４０は、そのケース４１内に感電シート３０の一端が挿入された状態で、出力側コード２０ａの他端と感電シート３０における出力側導線の一端とを、および、アース側コード２０ｂの他端と感電シート３０におけるアース側導線の一端とを、それぞれ接続するように構成される（図６（ｂ）参照）。
感電装置１は、このように接続具４０を介して出力側コード２０ａおよびアース側コード２０ｂのそれぞれに感電シート３０の出力側導体３２ａおよびアース側導体３２ｂがそれぞれ接続されることにより、感電シート３０の出力側導体３２ａおよびアース側導体３２ｂに、電源ユニット１０から電圧が印加されるように構成される。
【００３５】
このように感電装置１が接続具４０を備える構成とすることにより、出力側コード２０ａの他端と感電シート３０における出力側導線の一端と、および、アース側コード２０ｂの他端と感電シート３０におけるアース側導線の一端と、のそれぞれの接続作業を容易に行うことができる。
また、出力側コード２０ａの他端と感電シート３０における出力側導線の一端と、および、アース側コード２０ｂの他端と感電シート３０におけるアース側導線の一端と、を予め接続しておくことなく、感電装置１の設置現場に行った際に、これらの接続を行うことができる。
【００３６】
また、感電装置１の接続具４０は、そのケース４１内に一端が挿入された感電シート３０を、当該ケース４１内から脱落することを防止する脱落防止機構を備えてもよい。感電装置１の接続具４０における脱落防止機構は、例えば、そのケース４１の開口部４２を可動式のワニ口形状に構成して、開口部４２に挿入された感電シート３０を開口部４２で挟み込むように構成される。
また、感電装置１の接続具４０は、そのケース４１内に雨水や露等が浸入しないように、防水機構を備えるように構成されることが望ましい。
【００３７】
なお、感電装置１の感電シート３０の導体３２は、導電性を有するもの（例えば銅箔）であれば良い。
また、感電装置１の感電シート３０における出力側導体３２ａとアース側導体３２ｂとの所定の間隔は、出力側導体３２ａとアース側導体３２ｂとの間で放電がおこらないような間隔であるとともに、獣類が、出力側導体３２ａとアース側導体３２ｂとに接触しやすいような間隔であれば良いものとする。
また、感電装置１では、その感電シート３０を、図７（ａ）に示すように、樹木の枝５２（取付対象物５）に取付けてもよく、また、図７（ｂ）に示すように、電気柵５３のポール５４（取付対象物５）に取付けてもよい。また、感電装置１では、その感電シート３０を、家屋や鉄柱のようなもの（取付対象物５）に取付けても良い。
感電装置１では、その感電シート３０を、ベランダや屋根に取付けてこれに飛来してくる、鳥類を追い払う用途に用いてもよい。
【００３８】
感電装置１の感電シート３０は、ロール状に巻付けられる構成としてもよい。
この際、前記ロール状に巻付けられた感電装置１の感電シート３０を所望の長さに切断して、当該切断した感電シート３０を取付対象物５に取付けてもよい。
【符号の説明】
【００３９】
１      感電装置
５      取付対象物
１０    電源ユニット
１２    出力端子
１３    アース端子
２０    コード
３０    感電シート
３１    絶縁体
３２    導体
【図１】
0003162750.tif 000003
【図２】
0003162750.tif 000004
【図３】
0003162750.tif 000005
【図４】
0003162750.tif 000006
【図５】
0003162750.tif 000007
【図６】
0003162750.tif 000008
【図７】
0003162750.tif 000009